(57)【要約】      （修正有）【課題】作製時の作業性が良く、使用の際の着火が容易で、全ての材料に自然由来の原料を用い、炎が大きく明るく、風波に強く、材料の殆どが水溶性であり、回収が不要で環境に優しい、流し灯籠を提供する。【解決手段】流し灯篭２は、水溶性の材料を使い、水に浮かぶ台座部２ａと燭台２ｂを備え、燭台２ｂに蝋燭３を設置し、台座部２ａの外縁に沿って立接する壁部２ｃを有する。流し灯篭２の形態に合った蝋燭３を組み合わせる事や溶かした蝋を流し灯篭２に塗布する事により、流し灯篭２に用いる蝋燭３の持つ神秘性や流し灯篭２を流した人の思いを、少しでも長く、更に明るさを増して送り出す事が容易に成った。更に防風性や防水性等を向上させ、優しい柔らかなデザインを加味した。【選択図】図１
0003233998.tif 000002
【実用新案登録請求の範囲】
【請求項１】
水溶性の材料を用い、水に浮かぶ台座部と燭台を備え、前記記載の燭台に蝋燭を設置し、台座部の外縁に沿って立接する壁部を有した流し灯篭。
【請求項２】
前記記載の流し灯篭に関する請求項１に芯草と呼ばれる植物を編んで作られた太い芯と自然由来の原料で出来ている蝋燭を前記記載の流し灯篭の壁部の外側より、芯の部分が外観で見える長さで設置し、前記記載の蝋燭を流し灯篭の明かりに使用した流し灯篭。
【請求項３】
前記記載の流し灯篭の台座部が水面と接する所に蝋を塗布した流し灯篭。
【考案の詳細な説明】
【技術分野】
【０００１】  本考案は環境を破壊する事なく、伝統的な流し灯篭を、より普及させる目的で改良を進めていたが、ある程度の目標の基準に達したので、従来品との差別化による新たな製品として生み出す事が出来た。
【背景技術】
【０００２】  従来、流し灯篭は紙や木を組み合わせた物や、紙だけで作製したものが多く、自治体の指導で行事の終了後に回収を義務付けられる場合が殆どであった。しかも、蝋燭に関しては洋蝋燭を用いており、その原料は石油を原料とするパラフィン系で、蝋芯は木綿糸芯を使用している。そこで、本発明は食用の原料であり、しかも水溶性の特徴があり、軽量で浮力がある材料をもって灯篭を作製する事を検討した。蝋燭も自然由来の和蝋燭を用いる事とした。
本考案の灯篭は最中の原料であるもち米や麩の原料である小麦の澱粉質を材料とした素材を加工し、浮遊する水溶性の灯篭を作製した。本考案の流し灯篭は着水してからの時間の経過に伴い、溶解して水中で海洋生物の餌に成り、ゴミには成らない。もち米や小麦の澱粉質を材料とした素材を用いて、流し灯篭を作製した。更に、環境を考慮して蝋燭も植物性を原料とした物を使用し、全て自然由来の材料を使用した。
【考案の概要】
【考案が解決しようとする課題】
【０００３】  解決しようとする課題として、蝋燭の周囲に巡らせた防風の役目を担う為の壁は、蝋燭の高さより高くしないと炎が消え易いので、防風壁の高さより短めの蝋燭仕様の現行の製品が誕生した。現行の製品を作製し、検証する中で製品に関した問題点が発覚するに至った。
▲１▼灯籠の作製の最後に蝋燭を設置する際、蝋燭の長さは防風壁の高さより低くなるように短くしている為に防風壁に手が接して破損する事があり、作製手順の変更を検討した。
▲２▼灯篭の蝋燭に着火する際も火が届き難く、灯篭の上部を下向にして着火するので、手元が不安定であった。
▲３▼現在使用している蝋燭の木綿糸芯では炎が小さく海や川の波風に対して弱く、着水後に消える場合があった。
▲４▼灯篭の原材料がもち米や米の澱粉質を材料とした素材の為、強度が弱く、輸送の時点での破損もあった。
つまり、上記に述べた４項目を解決する事で新たな、流し灯篭を開発した。【０００４】  従来の灯篭は一部の需要家には好評であったが、問題点もあり、増販するには、別の観点の改良が重要であることが判明した。そこで、それらを解決する方法を考案し、新たな商品を創造する事が可能と成った。
【課題を解決するための手段】
【０００５】  解決する課題の▲１▼を解決する為には蝋燭を先に燭台に設置して、防風壁を最後に設置する。▲１▼と▲２▼を解決する為には蝋燭設置の際に灯篭の防風壁に手が接しない長さの蝋燭、若しくは蝋燭の長さを防風壁の高さと同等、もしくは同等以上の高さにする。また、▲３▼と▲４▼を解決する為には炎が大きくて風に強い和蝋燭を使用する。▲１▼から▲４▼までの解決策とし、現在採用している蝋燭の大きさと長さを、灯篭の防風壁の高さに合わせた和蝋燭に接する箇所や強度が弱い箇所に塗布する場合もある。これにより製作手順を変える事無く波風に強い流し灯篭を創る事が出来た。
【考案の効果】
【０００６】  本考案は、上述した要件を満たす為に灯篭の防風壁に対応した和蝋燭を用いる事で、自然由来の材料を使用した環境に優しい流し灯篭を考案した。具体的には従来品の蝋燭では芯が木綿糸を用いた物を使用していたが、炎が小さく風や波に弱い。しかし、和蝋燭は芯草と呼ばれる植物を編んで作られた太い芯の為、炎が大きく、しかも風に強い。考案した流し灯篭は、着火当初は炎の位置が防風壁と同じ程の高さ、若しくは高く位置するが、風に強いので消える事もなく、燃焼時間の経過で炎の延焼位置が下方に下がり、植物由来の餅米で作製された防風壁は炎の光を透過して周囲を明るく照らし出す。これは段階的に炎の光を楽しみ、長い時間炎を眺める事が出来る。
【図面の簡単な説明】
【０００７】
【図１】  本考案の流し灯篭の実施例を示すイメージした図である。
【図２】  従来の流し灯篭の実施例を示すイメージした図である。
【図３】  本考案の流し灯篭の和蝋燭設置の実施例を示すイメージした図である。
【図４】  従来の流し灯篭の蝋燭設置の実施例を示すイメージした図である。
【図５】  本考案の流し灯篭の和蝋燭に着火の実施例を示すイメージした図である。
【図６】  従来の流し灯篭の蝋燭に着火の実施例を示すイメージした図である。
【図７】  本考案の流し灯篭の和蝋燭に着火後の炎の状態をイメージした図である。
【図８】  従来の流し灯篭の蝋燭に着火後の炎の状態をイメージした図である。
【考案を実施するための形態】
【０００８】  本考案は灯篭の形態の特徴を活かす蝋燭を選択し、本来の機能を発揮する為に、従来仕様の蝋燭を和蝋燭に変え、和蝋燭の長さを灯篭の防風壁と同じ程度の高さ、若しくはそれ以上の高さに合わせた。波や風が強い場所での使用の際には、灯篭の台座部の水に接する底部に蝋を塗布する事で、防水性と強度を高めた。より強度を求めるためには全体に蝋を塗布する事も可能である。又防風壁は蝋燭の周囲に円を描くように施工するので、複数の細かい板状の形状の一部が重なり合うように配置すると強度が保て、しかも複数の細かい板状の形状であれば、加工がし易い。又装飾的なデザインも可能である。
【実施例】
【０００９】  本考案に係る実施例につき、図１から図８を参照して以下説明する。
本考案の［図１］と［図２］を比較すると外観で従来使用の蝋燭４は従来の流し灯篭の防風壁部１ｃに隠れて従来の流し灯篭１の外観では見えないが、本考案の流し灯篭２では和蝋燭の芯３ａの先端が本考案の流し灯篭の防風壁部２ｃより高い位置にあり、差別化は一目瞭然である。更に、本考案の［図３］と［図４］を比較すると従来使用の蝋燭の芯４ａは細い木綿芯の洋蝋燭であり、長さを長くするだけでは風や波に対する耐久力を強化する事は出来ない。本考案の流し灯篭２は芯草等を使用した太い芯の和蝋燭３である。また、本考案の［図５］と図［６］を比較すると、従来使用の蝋燭４は高さが低いので、従来の流し灯篭の麩の燭台１ｂに従来使用の蝋燭４を設置する場合や着火の際には従来の流し灯篭の防風壁部１ｃに手や指が当たり、破損する場合があった。そこで、従来の流し灯篭１は従来使用の蝋燭４を従来の流し灯篭の麩の燭台１ｂに設置の場合は従来の流し灯篭の防風壁部１ｃに触れない様に注意深く作業をしていた。更に着火の際も従来の流し灯篭の台座部１ａを掴み、灯篭自体を下向きに位置させ、下方から着火する事と成った。それは、従来の流し灯篭１や従来の流し灯篭の防風壁部１ｃ自体を破損させる危険があったからである。そこで本考案の流し灯篭２は和蝋燭の芯３ａの先が本考案の流し灯篭の防風壁部２ｃの先端より高い位置に成る長さにする事で、本考案の流し灯篭の麩の燭台２ｂに和蝋燭３を溶かした蝋燭で溶着する際や和蝋燭３に着火の際に本考案の流し灯篭の防風壁部２ｃに手や炎が接しない様にし、本考案の流し灯篭の台座部２ａを掴み、自体を下向きに位置させる必要もなくなった。
本考案の［図７］と［図８］を比較すると従来の流し灯篭１は炎が小さく、本考案の流し灯篭２では和蝋燭の芯３ａが太くて大きい為に炎が大きく、遠方に至っても、明るく輝いて見える。しかも、和蝋燭３は従来使用の蝋燭４より長さを長くした為に、炎の位置が高い位置から低い位置に、時間の経過と共に移動し、本考案の流し灯篭の防風壁部２ｃは透過性がある為に壁を介しての炎の見え方も変化する。
【符号の説明】
【００１０】１    従来の流し灯篭
１ａ  従来の流し灯篭の台座部
１ｂ  従来の流し灯篭の麩の燭台
１ｃ  従来の流し灯篭の防風壁部
２    本考案の流し灯篭
２ａ  本考案の流し灯篭の台座部
２ｂ  本考案の流し灯篭の麩の燭台
２ｃ  本考案の流し灯篭の防風壁部
３    和蝋燭
３ａ  和蝋燭の芯
４    従来使用の蝋燭
４ａ  従来使用の蝋燭の芯
５    着火具
【図１】
0003233998.tif 000003
【図２】
0003233998.tif 000004
【図３】
0003233998.tif 000005
【図４】
0003233998.tif 000006
【図５】
0003233998.tif 000007
【図６】
0003233998.tif 000008
【図７】
0003233998.tif 000009
【図８】
0003233998.tif 000010
【手続補正書】
【提出日】令和3年6月9日(2021.6.9)
【手続補正１】
【補正対象書類名】実用新案登録請求の範囲
【補正対象項目名】全文
【補正方法】変更
【補正の内容】
【実用新案登録請求の範囲】
【請求項１】
水溶性の材料を用い、水に浮かぶ台座部と燭台を備え、前記記載の燭台に蝋燭を設置し、台座部の外縁に沿って立接する壁部を有した流し灯篭。
【請求項２】
芯草と呼ばれる植物を編んで作られた太い芯と自然由来の原料で出来ている蝋燭を壁部の外側より、芯の部分が外観で見える長さで設置し、前記蝋燭を流し灯篭の明かりに使用した請求項１に記載の流し灯篭。
【請求項３】
前記台座部が水面と接する所に蝋を塗布した請求項１又は請求項２に記載の流し灯篭。